(57)【特許請求の範囲】
【請求項１】
容器本体と、該容器本体にヒンジ連結された蓋と、上面が、前記容器本体の開口縁部より下方に位置するように、前記容器本体に嵌着された分離板とを有し、前記分離板には、注射器の注射針が挿入可能な平面形状が楕円状の貫通孔が穿設されているとともに、前記貫通孔の短径が、前記注射器の注射筒から分離可能な注射針に設けられた楕円状の鍔部の長径より小さく形成されており、且つ、前記貫通孔の垂直面には、分離突起が突設されていることを特徴とする注射針回収容器。
【請求項２】
前記蓋の上面には、凸状リブが突設されており、前記容器本体の蓋側の外壁には、前記凸状リブが嵌着可能な間隙を有する一対の垂直リブが突設されていることを特徴とする請求項１に記載の注射針回収容器。
【発明の詳細な説明】
【０００１】
【産業上の利用分野】
本発明は、注射器の注射筒から分離された使用済みの注射針を収納する注射針回収容器に関するものである。
【０００２】
【従来の技術】
従来、注射器の注射筒の先端に嵌合された使用済みの注射針を、注射針回収容器の上面に穿設された貫通孔に挿入し、次いで、注射筒を回転させることにより、注射針と注射筒の嵌合状態を緩めて注射筒から注射針を分離し、注射筒から分離された注射針を注射針回収容器に収納するようにした注射針回収容器が知られている。
【０００３】
【発明が解決しようとする課題】
従来の注射針回収容器においては、注射筒を回転させて、注射針回収容器の上面に穿設された貫通孔に挿入された注射針と注射筒との嵌合状態を緩める際に、注射針回収容器が回転しないように注射針回収容器を手で押さえなければならないが、注射針回収容器を押さえている手に、注射針回収容器の上面に穿設された貫通孔に挿入しようとした注射針が誤って刺さったりすることがある。また、このような事故が起こらないまでも、注射針回収容器を押さえている手に、注射器の使用済みの注射針が接近すること自体が、作業者に不安感を与えることになり、更には、注射針の回収作業の効率低下を惹起することになる。
【０００４】
また、注射針回収容器の上面に穿設された貫通孔に注射針が上手く挿入されずに、注射針が注射針回収容器の上面に接触し、注射針回収容器の上面が汚染される場合があり、このように汚染された注射針回収容器の上面に蓋をすると、蓋の内面も汚染されることになり、汚染範囲が広がり、従って、病原菌やウイルス等への感染の危険度が増すことになる。
【０００５】
更に、注射筒を回転させることにより、注射針と注射筒の嵌合状態を緩めても、注射筒から注射針を分離せず、注射針の注射針回収容器への回収作業に手間取る等の問題がある。
【０００６】
本発明の目的は、上述した従来の注射針回収容器が有する課題を解決するとともに、安全性の高い、しかも、作業性及び取扱性に優れた注射針回収容器を提供することにある。
【０００７】
【課題を解決するための手段】
本発明は、上述した目的を達成するために、第１には、注射針回収容器が、容器本体と、該容器本体にヒンジ連結された蓋と、上面が、前記容器本体の開口縁部より下方に位置するように、前記容器本体に嵌着された分離板とを有し、前記分離板には、注射器の注射針が挿入可能な平面形状が楕円状の貫通孔が穿設されているとともに、前記貫通孔の短径が、前記注射器の注射筒から分離可能な注射針に設けられた楕円状の鍔部の長径より小さく形成されており、且つ、前記貫通孔の垂直面に、分離突起を突設したものであり、第２には、前記蓋の上面には、凸状リブを突設し、前記容器本体の蓋側の外壁には、前記凸状リブが嵌着可能な間隙を有する一対の垂直リブを突設したものである。
【０００８】
以下に、本発明の実施例について説明するが、本発明の趣旨を越えない限り何ら、本実施例に限定されるものではない。
【０００９】
先ず最初に、本発明の注射針回収容器の分解斜視図である図１、本発明の注射針回収容器の組み立て斜視図である図２、本発明の注射針回収容器の斜視図である図３、蓋が折り畳まれた状態を示す本発明の注射針回収容器の斜視図である図４を用いて、本発明の注射針回収容器について説明する。
【００１０】
図１において、ｃ１は、注射針回収容器Ｃの容器本体であり、上面が開口された有底の略角筒体或いは略円筒体等の筒状に形成されている。ｃ２は、容器本体ｃ１の開口縁部ｃ３より下方で、容器本体ｃ１の外壁の所定位置に配設された帯状の肉厚部であり、肉厚部ｃ２の上端部ｃ２’より上の部分ｃ４に後述する蓋ｃ５が嵌合されるように構成されている。なお、必要に応じて、このような肉厚部ｃ２を省略することもできる。
【００１１】
容器本体ｃ１と蓋ｃ５とは、略平板状のヒンジ板ｃ６により連結されており、ヒンジ板ｃ６は、ヒンジ板ｃ６の上面ｃ６’が、肉厚部ｃ２の上端部ｃ２’及び蓋ｃ５の開口側縁部ｃ５’と面一となるように構成されている。ｃ７は、ヒンジ板ｃ６の裏面ｃ６”で、ヒンジ板ｃ６の中間部に設けられた直線状のＶ溝であり、このＶ溝ｃ７を挟んでヒンジ板ｃ６を二つ折りにすることにより、Ｖ溝ｃ７を中心に蓋ｃ５を上方に回動させて、容器本体ｃ１に蓋ｃ５を被せることができるように構成されている。
【００１２】
ｃ８は、肉厚部ｃ２の上端部ｃ２’より上の部分ｃ４の略中間に突設された水平な凸条であり、蓋ｃ５の内壁には、凸条ｃ８が嵌合する水平な凹溝ｃ９が穿設されている。従って、図１に示されている蓋ｃ５が開いた状態から、蓋ｃ５を、ヒンジ板ｃ６の裏面ｃ６”に設けられた直線状のＶ溝ｃ７を中心に回動させることにより、蓋ｃ５を容器本体ｃ１に被せるとともに、蓋ｃ５の内側に設けられた凹溝ｃ９と、容器本体ｃ１の肉厚部ｃ２の上端部ｃ２’より上の部分ｃ４に突設された凸条ｃ８とを嵌合させることにより、蓋ｃ５を容器本体ｃ１にしっかりと被せることができるように構成されている。なお、図１には、ヒンジ板ｃ６と反対側の肉厚部ｃ２の上端部ｃ２’より上の部分ｃ４に凸条ｃ８が突設され、また、蓋ｃ５のヒンジ板ｃ６より遠い側の内壁に凹溝ｃ９が穿設された実施例が示されているが、肉厚部ｃ２の上端部ｃ２’より上の部分ｃ４の他の箇所に凸条ｃ８を突設することも、また、肉厚部ｃ２の上端部ｃ２’より上の部分ｃ４の略全周に亘って凸条ｃ８を突設することもでき、そして、このようにして突設された凸条ｃ８に対応して蓋ｃ５の内壁に凹溝ｃ９を穿設することもできる。
【００１３】
なお、蓋ｃ５の深さｄと、肉厚部ｃ２の上端部ｃ２’から開口縁部ｃ３までの高さｈとを略同じに形成することにより、蓋ｃ５を、肉厚部ｃ２の上端部ｃ２’より上の部分ｃ４を略覆うように被せることもでき、また、蓋ｃ５の深さｄを、肉厚部ｃ２の上端部ｃ２’から開口縁部ｃ３までの高さｈより浅く形成し、蓋ｃ５を容器本体１に被せた際に、蓋ｃ５の開口側縁部ｃ５’と肉厚部ｃ２の上端部ｃ２’との間に間隙ができるように構成し、この間隙に爪等を挿入して容器本体ｃ１に被せられた蓋ｃ５を開け易く構成することもできる。
【００１４】
ｃ１０は、後述する鍔部を有する注射針が挿入可能な貫通孔ｃ１１が適当数穿設された分離板であり、分離板ｃ１０は、分離板ｃ１０の側部ｃ１０’の周囲に突設された凸条ｃ１２を、容器本体ｃ１の内壁ｃ１’に略水平に穿設された凹溝ｃ１３に嵌合することにより、容器本体ｃ１に嵌着され、図２に示されているように、注射針回収容器Ｃが組み立てられるように構成されている。また、容器本体ｃ１に嵌着された際に、分離板ｃ１０の上面ｃ１０”が、容器本体ｃ１の開口縁部ｃ３より下方に位置するように構成されており、従って、蓋ｃ５を容器本体ｃ１に被せた場合に、分離板ｃ１０の上面ｃ１０”と蓋ｃ５の天板側の内面ｃ５”が接触することがない。このように、蓋ｃ５を容器本体ｃ１に被せた際に、分離板ｃ１０の上面ｃ１０”と蓋ｃ５の天板側の内面ｃ５”が接触することがないので、分離板ｃ１０の上面ｃ１０”に付着した血液等が、更に蓋ｃ５の内面に付着し、汚染範囲が広がるようなことが防止できる。なお、上記の凸条ｃ１２は、分離板ｃ１０の側部ｃ１０’の全周囲に亘って突設し、また、それにともなって凹溝ｃ１３も、容器本体ｃ１の内壁ｃ１’の略全周に亘って設けることが好ましい。
【００１５】
ｃ１４及びｃ１５は、容器本体ｃ１の相対する外壁ｃ１６、ｃ１７の下部に設けられた水平な凹溝であり、凹溝ｃ１４、ｃ１５には、後述するテーブル等に配設された取り付け部材が嵌合できるように構成されている。
【００１６】
ｃ１８は、蓋ｃ５の上面に設けられた凸状リブであり、また、ｃ１９及びｃ２０は、容器本体ｃ１の蓋ｃ５側の外壁ｃ２１に所定の間隙ｗを置いて突設された所定の長さを有する垂直リブであり、蓋ｃ５を、図４に示されているように、蓋ｃ５の上面が、容器本体ｃ１の蓋ｃ５側の外壁ｃ２１と略平行になるように、ヒンジ板ｃ６のＶ溝ｃ７を中心に下方に回動させせて折り畳んだ際に、蓋ｃ５の凸状リブｃ１８が、容器本体ｃ１の外壁ｃ２１に突設された垂直リブｃ１９、ｃ２０の間隙ｗに嵌着され、蓋ｃ５を容器本体ｃ１の外壁ｃ２１に折り畳み状態に保持することができるように構成されている。このように、蓋ｃ５を容器本体ｃ１の外壁ｃ２１に折り畳み状態に保持することにより、注射針の注射針回収容器への回収作業中に、蓋ｃ５が邪魔にならず、従って、注射針の回収作業の作業性が向上する。
【００１７】
次に、注射針回収容器Ｃ及びテーブル等に注射針回収容器Ｃを取着するための取り付け部材の斜視図である図５を用いて、取り付け部材について説明する。
【００１８】
Ｄは、テーブルＴ等に固着される取り付け部材であり、ｄ１及びｄ２は、所定の間隔を置いて略平行に配設された棒状の係合枠部材であり、ｄ３は、係合枠部材ｄ１、ｄ２の一端を連結する垂直板である。
【００１９】
次に、係合枠部材ｄ１、ｄ２について説明するが、係合枠部材ｄ１と係合枠部材ｄ２は同じ構成を有し、垂直板ｄ３を挟んで線対称に配設されているだけであるので、一方の係合枠部材ｄ１についてのみ説明する。
【００２０】
係合枠部材ｄ１は、固定的にテーブルＴ等に固着される台座部ｄ４と、台座部ｄ４に対して取り付け部材Ｄの内側方向に傾斜した水平方向に回動可能な回動枠ｄ５から構成されており、回動枠ｄ５は、スリットｄ６を設けることにより形成される薄肉部ｄ７を介して台座部ｄ４に弾性的に連結されているとともに、回動枠ｄ５の自由端部には取り付け部材Ｄの内側方向に向く係合突起ｄ５’が設けられている。また、ｄ８は、回動枠ｄ５に連続して台座部ｄ４に形成された取り付け部材Ｄの内側方向に向けて突設された水平な突出リブである。ｄ４’は、台座部ｄ４の水平部であり、水平部ｄ４’には、適当数のボルト孔ｄ９が穿設されており、ボルト孔ｄ９に、ボルトｂを挿入し、テーブルＴ等に穿設された溝孔ｔ１にボルトｂを螺合することにより、取り付け部材ＤをテーブルＴ等に固着することができるように構成されている。なお、上記の取り付け部材Ｄは、合成樹脂等で一体に成形することが好ましい。
【００２１】
テーブルＴ等に固着された取り付け部材Ｄに注射針回収容器Ｃを取着するには、図５に示されているように、注射針回収容器Ｃを水平方向に移動させることにより、注射針回収容器Ｃに設けられた凹溝ｃ１４、ｃ１５に、取り付け部材Ｄの回動枠ｄ５及び台座部ｄ４の水平な突出リブｄ８を挿着するとともに、注射針回収容器Ｃに設けられた凹溝ｃ１４、ｃ１５に挿着された回動枠ｄ５の自由端部に設けられた係合突起ｄ５’を、注射針回収容器Ｃの蓋ｃ５と反対側の外壁ｃ２２に係合させることにより、テーブルＴ等に注射針回収容器Ｃを取り付けることができるように構成されている。また、テーブルＴ等から注射針回収容器Ｃを取り外す場合には、回動枠ｄ５を互いに外側に開くように回動させて、注射針回収容器Ｃの蓋ｃ５と反対側の外壁ｃ２２に係合されている回動枠ｄ５の自由端部に設けられた係合突起ｄ５’を外し、次いで、注射針回収容器Ｃを、取り付け部材Ｄから遠ざかる方向に水平移動させることにより、注射針回収容器ＣをテーブルＴ等から取り外すことができる。なお、単に、注射針回収容器Ｃを、取り付け部材Ｄから遠ざかる方向に水平移動させることにより、回動枠ｄ５を外側に回動させて、注射針回収容器ＣをテーブルＴ等から取り外すこともできる。
【００２２】
注射針回収容器ＣのテーブルＴ等への取り付け手段に関しては、上述したような取り付け部材Ｄに限定されることなく、種々の取り付け手段を適用することができる。例えば、注射針回収容器Ｃ及びテーブルＴ等の側面図である図６に示されているように、注射針回収容器Ｃの底に磁石ｍを固着し、また、テーブルＴ等には鉄板を固着して、テーブルＴ等に固着された鉄板に、磁石ｍが固着された注射針回収容器Ｃを磁力により吸着させることもできる。勿論、テーブルＴ等が鉄製の場合には、テーブルＴ等に鉄板を固着する必要はない。このように、注射針回収容器Ｃの底に磁石ｍを固着した場合には、テーブルＴ等への注射針回収容器Ｃの取り付けが迅速に行えるとともに、注射針回収容器Ｃ内に回収された注射針が、注射針回収容器Ｃの底に固着された磁石ｍの磁力により注射針回収容器Ｃの底部に吸着されて、その移動が抑制され、従って、注射針の移動により生じる騒音の発生が防止できる。また、注射針が、磁石ｍの磁力により注射針回収容器Ｃの底部に吸着されているので、誤って注射針回収容器Ｃを落とした場合などにも、注射針回収容器Ｃに収納された注射針が、分離板ｃ１０に穿設されたｃ貫通孔１１から抜け出るようなことが防止できる。
【００２３】
次に、図２、図２のＩ−Ｉ線に沿った注射器Ｓの断面を含む分離板ｃ１０に穿設された貫通孔ｃ１１の平面図である図７、注射器Ｓの斜視図である図８及び図７（ａ）のＩ−Ｉ線に沿った断面図である図９を用いて、注射器Ｓの注射針を、注射針回収容器Ｃに収納する工程について説明する。
【００２４】
分離板ｃ１０に穿設された貫通孔ｃ１１は、図７及び図９に示されているように、平面形状が楕円状に形成されているとともに、貫通孔ｃ１１は、貫通孔ｃ１１の上部に位置する外側に拡がった傾斜面ｃ１１’及び傾斜面ｃ１１’に続いて傾斜面ｃ１１’の下部に位置する垂直面ｃ１１”から構成されている。ｃ２３は、貫通孔ｃ１１の垂直面ｃ１１”の上方部分に突設された分離突起であり、分離突起ｃ２３は、平面形状が楕円状の貫通孔ｃ１１の長径の垂直面ｃ１１”の一方に１個だけ突設することも或いは貫通孔ｃ１１の長径の垂直面ｃ１１”に対向させて２個突設することもできる。なお、本発明の実施例においては、分離突起ｃ２３が２個突設されている例が示されているが、このような分離突起ｃ２３は、分離板ｃ１０に穿設された貫通孔ｃ１１へ後述する注射器Ｓの注射針の鍔部が挿入できれば、貫通孔ｃ１１の長径の垂直面ｃ１１”に限らず、貫通孔ｃ１１の垂直面ｃ１１”のどの位置に突設してもよく、また、分離突起ｃ２３の個数も適宜、設定することができる。
【００２５】
本発明の実施例に使用されている注射器Ｓは、図８に示されているように、注射筒ｓ１と注射針ｓ２とから構成されており、注射針ｓ２には平面形状が楕円状の鍔部ｓ２’が設けられている。平面形状が楕円状の鍔部ｓ２’の長径ｙ１は、上述した分離突起ｃ２３の間隙幅ｙ２より小さく形成されており、また、平面形状が楕円状の鍔部ｓ２’の長径ｙ１は、分離板ｃ１０に穿設された平面形状が楕円状の貫通孔ｃ１１の短径ｙ３より大きく形成されている。
【００２６】
次に、注射器Ｓの注射針ｓ２を注射筒ｓ１から分離し、注射針ｓ２を注射針回収容器Ｃに収納する工程について、主として図７を用いて説明する。
【００２７】
先ず、図７（ａ）及び図９に示されているように、注射器Ｓを注射針ｓ２の鍔部ｓ２’が、貫通孔ｃ１１の垂直面ｃ１１”に突設された分離突起ｃ２３の下方に位置するように配置する。次いで、注射器Ｓを回転させて、図７（ｂ）に示されているように、注射器Ｓの注射針ｓ２の鍔部ｓ２’を、分離板ｃ１０に穿設された貫通孔ｃ１１の垂直面ｃ１１”に当接させる。上述したように、注射針ｓ２の鍔部ｓ２’の長径ｙ１が、分離板ｃ１０の貫通孔ｃ１１の短径ｙ３より大きく形成されているので、上記のように、注射器Ｓの注射針ｓ２の鍔部ｓ２’が、分離板ｃ１０の貫通孔ｃ１１の垂直面ｃ１１”に当接できる。
【００２８】
次いで、注射針ｓ２の鍔部ｓ２’が、分離板ｃ１０の貫通孔ｃ１１の垂直面ｃ１１”に当接して、注射針ｓ２の回転が阻止されている状態の注射器Ｓの注射筒ｓ１を適宜回転させて、注射器Ｓの注射筒ｓ１と注射針ｓ２の嵌合を緩める。この際、注射針ｓ２の自重により、そのまま注射筒ｓ１から注射針ｓ２が落下しない場合には、図７（ｃ）及び図８の二点鎖線で示されているように、注射器Ｓの鍔部ｓ２’を、貫通孔ｃ１１の垂直面ｃ１１”に突設された分離突起ｃ２３の下方に配置し、その後、注射器Ｓを上方に持ち上げることにより、分離突起ｃ２３に注射器Ｓの鍔部ｓ２’を引っかけて注射器Ｓの注射筒ｓ１から注射針ｓ２を引き抜き、注射筒ｓ１から注射針ｓ２を分離し、注射針ｓ２を注射針回収容器Ｃに収納する。
【００２９】
なお、注射筒ｓ１と注射針ｓ２の嵌合状態によっては、注射器Ｓを回転させることなく、貫通孔ｃ１１の垂直面ｃ１１”に突設された分離突起ｃ２３に注射器Ｓの鍔部ｓ２’を引っかけた後、注射器Ｓを上方に持ち上げることにより、注射器Ｓの注射筒ｓ１から注射針ｓ２を引き抜き、注射筒ｓ１から注射針ｓ２を分離し、注射針ｓ２を注射針回収容器Ｃに収納することもできる。
【００３０】
なお、上述した容器本体ｃ１、蓋ｃ５及びヒンジ板ｃ６は、合成樹脂で一体に成形し、蓋ｃ５及びヒンジ板ｃ６とともに一体に成形された容器本体ｃ１に、分離板ｃ１０を嵌着することにより注射針回収容器Ｃを組み立てることが好ましい。勿論、容器本体ｃ１、蓋ｃ５及びヒンジ板ｃ６を、それぞれ、別体に形成し、ヒンジ板ｃ６或いは公知のヒンジ部材を介して容器本体ｃ１と蓋ｃ５を連結することもできる。
【００３１】
【発明の効果】
本発明は、以上説明したように構成されているので、以下に記載する効果を奏するものである。
【００３２】
注射針回収容器をテーブル等に取り付けるように構成したので、注射針が誤って作業者の手に刺さったりするような事故を防止することができ、また、注射器の使用済み注射針が作業者の手に接近すること自体により生じる作業者の不安感を取り除くことができ、従って、注射針の回収作業の作業効率を向上させることができる。
【００３３】
注射針回収容器の蓋を容器本体に被せた際に、分離板の上面と蓋の天板側の内面が接触することがないので、分離板の上面に付着した血液等が、更に蓋の内面に付着し、汚染範囲が広がるようなことが防止できる。
【００３４】
注射針回収容器の底に磁石を固着したので、テーブル等への注射針回収容器の取り付けが迅速に行えるとともに、注射針回収容器内に回収された注射針が、磁力により注射針回収容器の底部に吸着されて、その移動が抑制され、従って、注射針の移動により生じる騒音の発生が防止できる。また、注射針が、磁石の磁力により注射針回収容器の底部に吸着されているので、誤って注射針回収容器を落とした場合などにも、注射針回収容器に収納された注射針が、注射針回収容器から抜け出るようなことが防止できる。
【図面の簡単な説明】
【図１】図１は本発明の注射針回収容器の分解斜視図である。
【図２】図２は本発明の注射針回収容器の組み立て斜視図である。
【図３】図３は本発明の注射針回収容器の斜視図である。
【図４】図４は蓋が折り畳まれた状態の本発明の注射針回収容器の斜視図である。
【図５】図５はテーブル等に本発明の注射針回収容器を取着するための取り付け部材の斜視図である。
【図６】図６は本発明の別の実施例の注射針回収容器とテーブル等の側面図である。
【図７】図７は図２のＩ−Ｉ線に沿った注射器の断面を含む分離板に穿設された貫通孔の平面図である。
【図８】図８は一例としての注射器の斜視図である。
【図９】図９は図７（ａ）のＩ−Ｉ線に沿った断面図である。
【符号の説明】
Ｃ・・・・・・・注射針回収容器
Ｄ・・・・・・・取り付け部材
Ｓ・・・・・・・注射器
Ｔ・・・・・・・テーブル
ｃ１・・・・・・容器本体
ｃ５・・・・・・蓋
ｃ６・・・・・・ヒンジ板
ｃ１０・・・・・分離板
ｄ１、ｄ２・・・係合枠部材
ｓ１・・・・・・注射筒
ｓ２・・・・・・注射針
【図１】
0003673531.tif 000002
【図２】
0003673531.tif 000003
【図３】
0003673531.tif 000004
【図４】
0003673531.tif 000005
【図５】
0003673531.tif 000006
【図６】
0003673531.tif 000007
【図７】
0003673531.tif 000008
【図８】
0003673531.tif 000009
【図９】
0003673531.tif 000010